(57)【要約】【課題】  共有表示装置の表示画面上に表示するデータの表示状態を、複数端末からの複数の出力データが競合する場合においても見易くなるように制御する。【解決手段】  上記目的を達成する為の本発明に係る一実施の形態の情報処理装置は、以下の構成を有する。  すなわち、  １つの表示装置と２つ以上の情報端末とに接続可能な情報処理装置であって、  前記情報端末から出力されたデータを取得するデータ取得手段と、  前記データ取得手段によって取得された前記出力データに対応づけられた表示属性情報を取得する表示属性情報取得手段と、  前記表示属性取得手段によって取得された表示属性情報を更新する手段と、  前記表示属性情報に基づいて、前記表示装置における前記出力データの表示を制御する表示制御手段と、を有することを特徴とする。【選択図】  図２
2006215531.tif 000002
【特許請求の範囲】
【請求項１】
１つの表示装置と２つ以上の情報端末とに接続可能な情報処理装置であって、
第一または第二の情報端末から出力されたデータを取得するデータ取得手段、
前記データ取得手段によって取得されたデータを前記表示装置に表示する際の表示領域指定情報を含む表示属性情報を取得する表示属性情報取得手段、
前記表示属性情報に基づいて、前記表示装置に表示するデータの表示を制御する表示制御手段、
前記第一の情報端末から出力されたデータの表示属性として表示領域指定された領域と重なる領域に、表示領域指定された第二の情報端末からの出力データがある場合には、重ならない空き領域へ前記第一の情報端末から出力されたデータの表示を行うように表示属性情報を書換える更新手段
を有することを特徴とする情報処理装置。
【請求項２】
１つの表示装置と２つ以上の情報端末とに接続可能な情報処理装置であって、
第一または第二の情報端末から出力されたデータを取得するデータ取得手段、
前記データ取得手段によって取得されたデータを前記表示装置に表示する際の表示領域指定情報を含む表示属性情報を取得する表示属性情報取得手段、
前記表示属性情報に基づいて、前記表示装置に表示するデータの表示を制御する表示制御手段、
前記第一の情報端末から出力されたデータの表示属性として表示領域指定された領域と重なる領域に表示領域指定された第二の情報端末からの出力データがある場合には、前記第一の情報端末から出力されたデータの表示を行わないように表示属性情報を書換える更新手段
を有することを特徴とする情報処理装置。
【請求項３】
前記情報処理装置はさらに、
複数の情報端末を識別する手段、
前記データ取得手段によって取得されたデータを前記表示装置に表示する時に、情報端末毎に割当てられた優先度設定を含む表示属性情報を取得する表示属性情報取得手段、
前記第一の情報端末から出力されたデータの表示属性として優先度設定がない場合には、先に表示されている出力データの表示領域と重ならない領域へ表示するよう表示属性情報を書換え、
前記第一の情報端末から出力されたデータの表示属性として優先度設定がある場合には、前記データを前面に表示するように表示属性情報を書換える更新手段、
を有することを特徴とする請求項１の情報処理装置。
【請求項４】
前記情報処理装置はさらに、
複数の情報端末を識別する手段、
前記データ取得手段によって取得されたデータを前記表示装置に表示する時に、情報端末毎に割当てられた優先表示領域設定を含む表示属性情報を取得する表示属性情報取得手段、
前記第一の情報端末から出力されたデータの表示属性として優先表示領域設定がある場合には、常に優先表示領域への表示を行うように表示属性情報を書換える更新手段
を有することを特徴とする請求項１の情報処理装置。
【請求項５】
前記情報処理装置はさらに、
前記データ取得手段によって取得されたデータを前記表示装置に表示する時に、表示する時間の長さの設定を含む表示属性情報を取得する表示属性情報取得手段、
前記第一の情報端末から出力されたデータの表示属性として表示する時間の長さの設定がある場合には、設定された表示時間が経過すると前記データの表示を無効にするように表示属性情報を書換える更新手段、
を有することを特徴とする請求項１乃至４の情報処理装置。
【請求項６】
前記情報処理装置はさらに、
前記データ取得手段によって取得されたデータを前記表示装置に表示する時に、表示する色設定を含む表示属性情報を取得する表示属性情報取得手段、
を有することを特徴とする請求項１乃至４の情報処理装置。
【請求項７】
１つの表示装置と２つ以上の情報端末とに接続可能な情報処理装置の情報処理方法であって、
第一または第二の情報端末から出力されたデータを取得するデータ取得工程、
前記データ取得工程によって取得されたデータを前記表示装置に表示する際の表示領域指定情報を含む表示属性情報を取得する表示属性情報取得工程、
前記表示属性情報に基づいて、前記表示装置に表示するデータの表示を制御する表示制御工程、
前記第一の情報端末から出力されたデータの表示属性として表示領域指定された領域と重なる領域に、表示領域指定された第二の情報端末からの出力データがある場合には、重ならない空き領域へ前記第一の情報端末から出力されたデータの表示を行うように表示属性情報を書換える更新工程
を有することを特徴とする情報処理装置。
【請求項８】
前記情報処理装置の情報処理方法はさらに、
複数の情報端末を識別する工程、
前記データ取得工程によって取得されたデータを前記表示装置に表示する時に、情報端末毎に割当てられた優先度設定を含む表示属性情報を取得する表示属性情報取得工程、
前記第一の情報端末から出力されたデータの表示属性として優先度設定がない場合には、先に表示されている出力データの表示領域と重ならない領域へ表示するよう表示属性情報を書換え、
前記第一の情報端末から出力されたデータの表示属性として優先度設定がある場合には、前記データを前面に表示するように表示属性情報を書換える更新工程
を有することを特徴とする請求項７の情報処理方法。
【請求項９】
前記情報処理装置の情報処理方法はさらに
複数の情報端末を識別する工程、
前記データ取得工程によって取得されたデータを前記表示装置に表示する時に、情報端末毎に割当てられた優先表示領域設定を含む表示属性情報を取得する表示属性情報取得工程、
前記第一の情報端末から出力されたデータの表示属性として優先表示領域設定がある場合には、常に優先表示領域への表示を行うように表示属性情報を書換える更新工程
を有することを特徴とする請求項７の情報処理方法。
【請求項１０】
前記情報処理装置の情報処理方法はさらに、
前記データ取得工程によって取得されたデータを前記表示装置に表示する時に、表示する時間の長さの設定を含む表示属性情報を取得する表示属性情報取得工程、
前記第一の情報端末から出力されたデータの表示属性として表示する時間の長さの設定がある場合には、設定された表示時間が経過すると前記データの表示を無効にするように表示属性情報を書換える更新工程
を有することを特徴とする請求項７乃至９の情報処理方法。
【請求項１１】
前記情報処理装置の情報処理方法はさらに
前記データ取得工程によって取得されたデータを前記表示装置に表示する時に、表示する色設定を含む表示属性情報を取得する表示属性情報取得工程
を有することを特徴とする請求項７乃至９の情報処理方法。
【発明の詳細な説明】
【技術分野】
【０００１】
本発明は、表示装置に出力するデータの表示制御を行うための情報処理技術に関するものである。
【背景技術】
【０００２】
近年、普及しつつある会議形態の１つとして電子会議システムがあり、特にプラズマディスプレイ、リアプロジェクションディスプレイ、フロントプロジェクタなどの大型表示装置が、共有表示装置として利用されている。このような電子会議システムでは、上記共有表示装置に、入力・操作端末としてのＰＣ（Ｐｅｒｓｏｎａｌ  Ｃｏｍｐｕｔｅｒ）を接続し、複数人の会議参加者で情報を共有することが一般的に行われている。
【０００３】
また、電子ホワイトボードのような共有表示装置に情報処理装置を備える電子会議システムの場合は、ネットワーク経由で同時に複数の情報端末からの操作が可能となる為、共有表示装置への操作入力について、操作権の切替によって排他制御を行う方法がある。
【０００４】
また例えば、特開２０００−１８１８４６公報で示すように、共有表示装置の画面に表示されたウインドウごとに操作権を設定することで、操作の競合回避を図る方法など、共有表示装置において複数の情報端末及び複数のウィンドウを表示制御する為の工夫がなされている。
【特許文献１】特開２０００−１８１８４６公報
【発明の開示】
【発明が解決しようとする課題】
【０００５】
しかしながら、１つの画面に複数ウィンドウを表示する場合には、ウィンドウ同士が重なってしまうという問題があり、操作者は異なるファイルに対して表示操作を実行する度に、ウィンドウの表示位置とサイズを調整する必要があった。
【０００６】
これは、一般的なウィンドウシステムにおける技術的課題と同様であり、任意のアプリケーションの設定として、特定のウィンドウについて常に前面に表示するよう指定することは可能であるが、複数のウィンドウについて個別に表示領域を指定することはできない。
【０００７】
本発明は、上記のような問題点を鑑みてなされたもので、共有表示装置の表示画面上に表示するデータの表示状態を、複数端末からの複数の出力データが競合する場合においても見易くなるように制御することを目的とするものである。
【課題を解決するための手段】
【０００８】
上記目的を達成する為の本発明に係る一実施の形態の情報処理装置は、以下の構成を有する。
【０００９】
すなわち、
１つの表示装置と２つ以上の情報端末とに接続可能な情報処理装置であって、
第一または第二の情報端末から出力されたデータを取得するデータ取得手段、
前記データ取得手段によって取得されたデータを前記表示装置に表示する際の表示領域指定情報を含む表示属性情報を取得する表示属性情報取得手段、
前記表示属性情報に基づいて、前記表示装置に表示するデータの表示を制御する表示制御手段、
前記第一の情報端末から出力されたデータの表示属性として表示領域指定された領域と重なる領域に、表示領域指定された第二の情報端末からの出力データがある場合には、重ならない空き領域へ前記第一の情報端末から出力されたデータの表示を行うように表示属性情報を書換える更新手段と、
を有することを特徴とする。
【発明の効果】
【００１０】
本発明によれば、
表示装置の画面における、情報端末からの出力データの表示状態を予め指定できる。
【００１１】
また、複数の出力データが競合する場合でも、表示属性情報に基づいて、
表示装置の画面において、他の出力データと重ならないように表示することができる。
【００１２】
またさらに、表示装置の画面において、優先度の高い情報端末からの出力データを最前面に表示することができる。
【００１３】
またさらに、情報端末毎に優先表示領域を設定することで、指定の情報端末からの出力データを、表示装置の画面において、毎回の接続時に同じ位置に表示することができる。
【発明を実施するための最良の形態】
【００１４】
＜第１の実施形態＞
図１は、本発明の各実施形態に共通する情報処理装置を含む電子会議システムの全体構成を示すブロック図である。
【００１５】
表示装置１は電子会議システムで用いられる共有表示装置であり、ＬＡＮ等のネットワークを介して接続された複数の情報端末３０からの出力データを表示する。
【００１６】
本会議システムは、表示装置１に接続された情報処理装置２０と、ＬＡＮ等のネットワークを介して情報処理装置２０に接続されたＰＤＡ（Ｐｅｒｓｏｎａｌ  Ｄｉｇｉｔａｌ  Ａｓｓｉｓｔａｎｃｅ）やノートＰＣ（Ｐｅｒｓｏｎａｌ  Ｃｏｍｐｕｔｅｒ）等からなる複数の情報端末３０とで構成される。
【００１７】
情報処理装置２０は、表示装置１の画面に出力されるデータの表示領域をウィンドウ単位で制御する表示制御部２と、画面情報を記憶した記憶部３と、情報処理装置２０内の各部を制御する制御部４のＣＰＵ（Ｃｏｎｔｒｏｌ  Ｐｒｏｃｅｓｓｉｎｇ  Ｕｎｉｔ）、及びＲＡＭ（Ｒａｎｄｏｍ  Ａｃｃｅｓｓ  Ｍｅｍｏｒｙ）と、情報端末３０との通信を制御するネットワークインタフェース部５から構成される。
【００１８】
また、情報処理装置２０は、制御部４の一部として機能するＲＯＭ（Ｒｅａｄ  Ｏｎ  Ｍｅｍｏｒｙ）に所定のプログラムが記憶されており、制御部４のＣＰＵが当該プログラムを読み出し本実施の形態の動作を制御する。
【００１９】
情報端末３０は、情報処理装置２０との通信を制御するネットワークインタフェース部７と、情報処理装置２０を介して表示装置１へのデータ出力を指示するマウス、キーボードなどのポインティングデバイスによって構成される指示部８と、アプリケーションプログラムおよびウインドウ表示指示をする為のプログラムを格納するハードディスク装置などの二次記憶装置９、読み出されたプログラムを展開するＲＡＭ１０、情報端末３０内の各部を展開されたプログラムに基づいて制御する制御部１１、及び、アプリケーションファイルデータや、指示部８による指示操作、制御部１１による処理結果を表示する表示部１２から構成される。
【００２０】
ネットワーク６は、情報処理装置２０のネットワークインタフェース部５と情報端末３０のネットワークインタフェース部７を接続するネットワークである。なお、図１では、簡単の為に情報処理装置２０に接続された情報端末３０を一つだけ図示したが、実際には複数接続されているものとする。
【００２１】
図２は、本実施の形態における情報処理装置２０が、情報端末３０から送られた表示装置１へのデータ出力を指示する入力信号を受信したときの処理手順を示すフローチャートである。
【００２２】
図２において、情報処理装置２０が、ネットワークインタフェース部７を介して、情報端末３０からの表示装置１へのデータ出力指示を受信すると、ステップＳ２０１で、表示装置１へ出力指示されたデータファイルを取得し、続くステップＳ２０２で、出力指示されたデータファイルを表示装置１に表示する際の表示設定情報である表示属性情報を取得する。
【００２３】
次に、ステップＳ２０３において、図３で後述する表示制御手段が起動されると、表示制御部２で、表示装置１の画面に既にウィンドウ表示中の出力データと、新たに出力指示されたデータをウィンドウ表示する為の表示属性情報を照合して、記憶部３のデータを更新する。
【００２４】
次にステップＳ２０４において、記憶部３に格納されている表示ウィンドウリスト７０１に変更がある場合は、ステップＳ２０５に進み、表示制御部２から信号を送って表示装置１の表示画面を更新する。表示ウィンドウリスト７０１については図７で後述する。
【００２５】
ステップＳ２０４において、表示ウィンドウリスト７０１に変更がない場合は、そのまま処理を終了する。
【００２６】
図３は、本実施の形態における情報処理装置２０の表示制御部２の動作について説明するフローチャートである。
【００２７】
情報端末３０からの出力要求を情報処理装置２０が受信すると、制御部４は、表示制御部２の表示制御手段を起動する。
【００２８】
図３のフローチャートを用いて、表示属性情報にある指定表示領域への表示を行う場合について説明する。
【００２９】
表示制御部２は、ステップＳ３０１において、情報端末３０より取得した表示属性情報と、記憶部３の表示ウィンドウリスト７０１を参照し、表示装置１に出力データをウィンドウ表示する指定表示領域が空き領域であるかどうかを判断する。その結果、取得した表示属性情報の指定表示領域が、表示ウィンドウリスト７０１において現在空き領域であった場合は、ステップＳ３０２に進み、表示ウィンドウリスト７０１に情報端末３０より取得した出力データファイルの情報と表示属性情報を追加する。
【００３０】
ステップＳ３０１において、指定表示領域が空き領域で無かった場合、すなわち既に他のウィンドウが指定の領域に表示されていた場合には、ステップＳ３０３に進み、情報端末３０に対して表示不許可通知を送信して処理を終了する。
【００３１】
〔表示ウィンドウリスト〕
表示制御部２が、表示装置１の表示制御を行う際に参照する、出力データの表示属性情報を格納した表示ウィンドウリストについて説明する。図７は、表示装置１の画面に表示されるウィンドウのリストであり、接続された情報端末から出力されたデータの表示属性情報より抽出され、情報処理装置２０の記憶部３に格納され、表示制御部２によって管理されている。
【００３２】
同図において、表示ウィンドウリスト７０１は、表示装置１に表示されるウィンドウ毎に対応付けられたＩＤ番号と、そのウィンドウに表示される出力データのデータファイルのデータと、以下の表示属性情報により構成される。
各ウィンドウの指定表示領域と、かかるウィンドウへのデータを出力している情報端末を識別する記号と、夫々の情報端末が有する表示優先度を示す数値と、他のウィンドウと領域が重なった場合に領域が空くまで待機する設定の有無と、優先表示領域の設定有無。待機設定および優先表示領域設定は、設定無しを０、設定ありを１をとして示す。
【００３３】
なお表示属性情報として、上記の他に、各ウィンドウを表示する時間の長さの指定や、夫々のウィンドウの色、明度などに関する設定を行えるものとしてもよい。
【００３４】
なお、情報端末３０における表示属性情報を構成する表示設定を行う方法として、メニューを表示させ選択させるものとしたが、別に設定画面を設けて、複数項目について詳細な設定が行えるようにしてもよい。
【００３５】
表示ウィンドウリストの表示属性情報は、情報処理装置への入力順で格納されるが、複数の情報端末間で設定が競合する場合には、表示制御部２が表示属性情報に基づいてデータを書換える。
【００３６】
なお、表示属性情報のうち、端末毎に割当てられた優先度設定や、優先表示領域設定については、情報処理装置側でユーザ操作により設定を行うことも可能であるものとする。
【００３７】
〔情報端末における表示属性情報設定の例〕
次に、情報端末において、表示装置１へ出力するデータの表示属性を設定する方法について説明する。
【００３８】
図８は、情報端末３０において、任意の出力データを表示装置１へウィンドウ表示する際の表示設定を行う操作画面の一部のウィンドウの一例である。
【００３９】
同図において、８０１は出力データファイルを表示装置１の画面上で表示する際の表示位置を指定するメニューを示す。これは情報端末３０の画面上で、操作者が任意の出力データを選択した状態で、指示部８による入力操作で、メニューを呼び出して表示し選択実行可能なものであるとする。ここで設定された表示設定情報は、表示属性情報の一部として、情報処理装置２０に送信される。
【００４０】
８０１のメニューの例において、表示位置を名称で示す設定項目と、これを表示属性情報とする出力データを表示装置１にウィンドウ表示する際の表示状態との関係を以下に説明する。
【００４１】
８０１で「全画面」を選択すると、表示装置１に全画面表示する表示設定となり、「中央」を選択すると、表示装置１の中央にウィンドウの重心をあわせて表示する表示設定となる。「上半分」を選択すると、表示装置１の画面の上半分の領域のいずれかに表示し、「左半分」を選択すると、表示装置１の画面の左半分の領域のいずれかに表示する。同様に、「下半分」、「右半分」という設定も可能である。また、「上」、「下」、「左」、「右」といった、より直感的な名称による位置指定で設定できるようにしてもよい。
【００４２】
このとき、表示装置１に表示するウィンドウの表示サイズを指定できるようにして、表示位置との組合わせによる表示条件によって、表示属性情報を変えるように設定するものであってもよい。
【００４３】
例えば、特に指定がない場合は、指定の表示位置を優先して表示ウィンドウのサイズは可変としてもよいし、逆に、表示ウィンドウのサイズを優先して指定の位置を変更可能とするようにしてもよい。
【００４４】
〔表示装置における表示領域設定の例〕
次に、表示装置１において、表示領域を予め複数に区切って表示領域を設定可能で有る場合の例について説明する。
【００４５】
図９は、表示装置１の表示画面を、予め有限個数の領域に区切って、出力データの表示制御を各領域毎に行えるようにした場合の例である。
【００４６】
同図において、９０１にあるようにＤ１〜Ｄ５と名付けた５つの領域に対して、情報端末３０側で、これに対応させた名称で「左上」、「右上」、「左下」、「右下」、「中央」といったメニューを用意して選択させる方法をとってもよい。すなわち、情報端末３０において、操作者が出力データの表示位置を「左上」に設定すると、該出力データが表示装置１に出力される際には、Ｄ１の領域に表示されることになる。
【００４７】
それでは、図２と図３のフローチャートを用いて、本実施の形態における処理の流れを具体的に説明する。
【００４８】
まず図１で説明したような、本発明の実施の形態に係る情報処理装置を含む電子会議システムの構成において、情報処理装置２０に接続された情報端末３０より、表示装置１へのデータ出力指示が行われる。
【００４９】
具体的には、情報端末３０の操作者が、指示部８のポインティングデバイスを用いて表示部１２の画面上に表示中の任意のウィンドウを選択し、図８で示すようなメニューにより表示装置１の画面上へ出力データをウィンドウ表示する際の表示設定を行う。これにより、情報端末３０の制御部１１において、指示部８で選択指示されたウィンドウに表示されているデータファイルと、表示属性情報が検出され、ネットワークインタフェース部７からネットワーク６を介して、情報処理装置２０に送信される。
【００５０】
情報処理装置２０では、情報端末３０から送信された信号を、ネットワークインタフェース部５が受信すると、図２の処理が起動され、表示装置１の画面に表示する出力データファイルを取得する（Ｓ２０１）。次に、該データファイルの表示設定情報である表示属性情報を取得し（Ｓ２０２）、表示制御手段を起動する（Ｓ２０３）。
【００５１】
制御部４によって表示制御手段が起動されると、表示制御部２で、新規に取得した表示属性情報と記憶部３の表示ウィンドウリスト７０１を参照して、新規出力データを表示装置１にウィンドウ表示する指定表示領域が空き領域であるかどうかを判断する（Ｓ３０１）。
【００５２】
その結果、指定表示領域が空き領域であった場合には、記憶部３の表示ウィンドウリスト７０１に、新規取得した出力データファイルとその表示属性情報を追加して表示ウィンドウリストを更新する。これにより、制御部１１が、表示ウィンドウリスト７０１に変更ありと判断し（Ｓ２０４）、更新された表示ウィンドウリストに基づいて表示制御部２が表示装置１の表示画面を更新し（Ｓ２０５）、情報端末３０で指定された出力データが指定の表示領域にウィンドウ表示される。
【００５３】
一方、新規出力データの表示属性情報にある指定表示領域に、既に他の出力データがウィンドウ表示されている場合には、表示制御部２において指定表示領域は空き領域ではないと判断され（Ｓ３０１）、情報端末３０より受信したデータ出力指示は無効とされる。その場合、制御部１１で生成した表示不許可通知のメッセージが、ネットワークインタフェース部５からネットワーク６を介して情報端末３０へ送信される（Ｓ３０２）。
【００５４】
〔表示装置に表示される指定表示領域の説明〕
情報端末３０からの出力データを、表示装置１に表示する為の表示属性情報の１つである指定表示領域について説明する。
【００５５】
ここでいう指定表示領域とは、表示装置１の画面上にウィンドウ表示する開始点と終了点の座標データで構成され、この２点の座標により対角線を形成する矩形領域内に、指定の出力データファイルを起動し表示することを、ウィンドウ表示と呼んでいる。
【００５６】
ウインドウ表示する指定表示領域は、任意の設定が可能であり、たとえば、図８に示すように名称で設定された場合には、情報処理装置２０の表示制御部２で表示装置１にあわせて書換える。また、図９に示すように、表示装置１の表示画面を予め複数の領域に区切り、情報端末３０側でこれと対応付けた表示設定メニューを用意して選択させる方法をとってもよい。
【００５７】
またあるいは、情報端末３０側で、表示装置１の画面に対応する座標データの数値を入力し指定する方法をとってもよい。
【００５８】
なおここでは、表示属性情報として、表示領域の指定について主に説明したが、これに限定されるものでなく、表示時間の指定や、色、明度などに関する設定を行えるものとして、これに基づいて表示制御を行うことにしてもよい。
【００５９】
また、情報端末３０における表示設定方法として、メニューを表示させ選択させるものとしたが、別に設定画面を設けて、複数項目について詳細な設定が行えるようにしてもよい。
【００６０】
〔表示制御部によって制御された表示装置の画面の状態〕
説明が前後するが、以下に、図３のフローチャートで説明した第一の実施形態における表示制御手段による表示装置１の画面例について図１１ａ及び図１１ｂを用いて説明する。
【００６１】
図１１ａは、第一の実施形態において、表示装置１に複数の端末からの出力データをウィンドウ表示する場合の概念図である。
【００６２】
図１１ａにおいて、１１０１は表示装置１の画面を示し、不図示の情報処理装置２０とネットワークを介して複数の情報端末３０と接続されている。１１０２と１１０４は、情報処理装置２０に接続された情報端末３０の表示画面であり、以下の説明では、区別の為に、１１０２を情報端末Ａ、１１０４を情報端末Ｂとする。１１０３と１１０５は、それぞれ情報端末の画面上で表示されているウィンドウであり、操作者がこれを選択して表示装置１への出力を指示しているものとする。ここでは区別の為に、情報端末Ａの画面上で操作者に選択され出力指示されたウィンドウをデータＡ  １１０３、情報端末Ｂの画面上で操作者に選択され出力指示されたウィンドウをデータＢ  １１０４とする。
【００６３】
表示装置１の画面１１０１の、１１１３及び１１１５は、情報処理装置２０に接続された情報端末からの出力データであり、ウィンドウＡ  １１１３は情報端末Ａで出力指示されたデータＡ  １１０３に、ウィンドウＢ  １１１５は情報端末Ｂで出力指示されたデータＢ１１０５に対応する。
【００６４】
ここでは、データＡ１１０３は、情報端末Ａにおいて、情報端末Ａの画面１１０２上で、データＡ１１０３の状態で操作者によって選択され、表示装置１の左上に表示するように表示設定されたものとする。同様に、データＢ１１０５は、情報端末Ｂにおいて、情報端末Ｂの画面１１０４上で、データＢ１１０３の状態で操作者によって選択され、表示装置１の右下に表示するように表示設定されたものとする。
【００６５】
この時、データＡ  １１０３とデータＢ  １１０５の、表示装置１の画面１１０１上で表示する際の指定表示領域が異なるので、ウィンドウＡ１１１３とウィンドウＢ１１１５のように、表示装置１の画面上にそれぞれの指定表示領域に表示することができる。
【００６６】
続いて、情報端末Ａで出力指示されたデータＡ１１０３と情報端末Ｂで出力指示されたデータＢ１１０４の指定表示領域が重なる場合の表示制御手段による表示装置１の画面例について図１１ｂを用いて説明する。
【００６７】
ここでは、情報端末Ａからの出力指示の方が先に行われてものとする。
【００６８】
図１１ｂにおいて図１１ａと異なるのは、表示装置１の画面１１０１に表示されたウィンドウの状態であり、データＡ１１０３と同じ指定表示領域に表示設定されたデータＢ１１０５は、表示装置１に表示されない。
【００６９】
但し、この時、データＢ１１０５の表示属性として、図７の表示ウィンドウリスト７０１で示すような待機設定がなされていた場合には、データＡ１１０３の出力が無くなった時点で、ウィンドウＡ１１１３の表示されていた領域にデータＢ１１０５がウィンドウＢとして表示される。
【００７０】
以上説明した通り、第１の実施の形態によれば、表示装置１の表示画面上において、情報端末３０で指定した任意の出力データファイルを、予め指定した表示設定でウインドウ表示領域に表示することができる。
【００７１】
また、表示装置１に、新規に出力データを表示する際に、予め指定の表示領域に既にウインドウ表示されている出力データがある場合には、新規出力データのウインドウ表示を行わないため、既存の表示状態を隠すことなく円滑な会議進行を行うことができる、という効果がある。
【００７２】
またさらに、表示属性情報の待機設定により、指定の表示領域に既に予め指定の表示領域に既にウインドウ表示されている出力データがあっても、そのデータが無くなると同時に、その表示領域に新規出力データをウィンドウ表示することができる。
【００７３】
＜第２の実施形態＞
図４は、本実施の形態における情報処理装置２０の表示制御部２の動作について説明するまた別のフローチャートであり、複数の出力データを重ならないように表示する場合について説明する。
【００７４】
情報端末３０からの出力要求を情報処理装置２０が受信すると、制御部４は、表示制御部２の表示制御手段を起動する。
【００７５】
同図において、ステップＳ４０１において、取得した表示属性情報と記憶部３の表示ウィンドウリスト７０１を参照し、指定表示領域が空き領域であるかどうかを判断する。指定表示領域が空き領域であった場合は、ステップＳ４０２に進み、表示ウィンドウリスト７０１に取得したファイルデータと表示属性情報を書き込む。
【００７６】
ステップＳ４０１において、指定表示領域が空き領域で無かった場合、すなわち既に他のウィンドウが表示されていた場合には、ステップＳ４０３に進み、指定表示領域の座標データを空き領域の座標データに書き換える。次に、ステップＳ４０２において、表示ウィンドウリスト７０１に取得したファイルデータとその表示属性情報を追加して処理を終了する。この時、表示属性情報のうちウィンドウ表示領域の座標データは、ステップＳ４０３で書き換えられた座標になっている。
【００７７】
それでは、図２と図４のフローチャートをもちいて、本実施の形態における処理の流れを具体的に説明する。なお、図２のステップＳ２０３において表示制御手段を起動するまでの処理については、実施の形態１における説明と同じであるので省略する。
【００７８】
制御部４によって表示制御手段が起動されると、新規に取得した表示属性情報と記憶部３の表示ウィンドウリスト７０１とを参照し、新規出力データを表示装置１にウィンドウ表示する指定表示領域が空き領域であるかどうかを判断する（Ｓ４０１）。
【００７９】
その結果、指定表示領域が空き領域であった場合には、記憶部３の表示ウィンドウリスト７０１に情報端末３０より取得されたファイルデータとその表示属性情報が追加される（Ｓ４０２）。これにより、表示ウィンドウリスト７０１に変更ありと判断され（Ｓ２０４）、更新された表示ウィンドウリストに基づいて表示制御部２が表示装置１の表示画面を更新し（Ｓ２０５）、情報端末３０で指定された出力データが指定の表示領域にウィンドウ表示される。
【００８０】
一方、表示装置１の画面上の指定表示領域に他のウィンドウが表示されていた場合には（Ｓ４０１）、新規に取得した指定表示領域の座標データを、記憶部３の表示ウィンドウリスト７０１を参照して算出した空き領域の座標データへと書き換える（Ｓ４０３）。
【００８１】
次に、記憶部３の表示ウィンドウリスト７０１に、情報端末３０より取得したファイルデータとその表示属性情報が追加される（Ｓ４０２）。この時、表示属性情報のうちウィンドウ表示する指定表示領域の座標データは、ステップＳ４０３で書き換えられた座標になっている。これにより、表示ウィンドウリスト７０１に変更ありと判断され（Ｓ２０４）、表示制御部２が表示更新（Ｓ２０５）した表示装置１の表示画面において、情報端末３０の指定表示領域とは別の領域に、指定のデータファイルがウィンドウ表示される。
【００８２】
なお上記実施の形態では、指定の出力データをウインドウ表示する領域が重ならない位置、すなわち表示装置１の画面上の空き領域へランダムに変更し表示させていたが、表示装置１の予め指定された位置に表示させてもよい。例えば、新規出力データが入力される順にＸ座標方向にずれた位置に配置する、またはＹ座標方向にずれた位置に配置するような設定にしてもよい。
【００８３】
〔表示制御部によって制御された表示装置の画面の状態〕
説明が前後するが、以下に、図４のフローチャートで説明した第二の実施形態における表示制御手段による表示装置１の画面例について図１２を用いて説明する。
【００８４】
図１２は、第二の実施形態において、表示装置１に複数の端末からの出力データをウィンドウ表示する場合に、重ならないように表示する場合の例を示す概念図である。
【００８５】
図１２においても図１１ｂと同様に、情報端末Ａからの出力指示が先に行われているものとするが、図１１ｂの説明と異なるのは、データＢ１１０５の表示属性情報として、領域書換許可設定がある点である。すなわち、指定表示領域に既にウィンドウ表示されている場合には、指定表示領域を変更可能とするものであり、その結果としてウィンドウＢ１１１５は、データＢ１１０５が表示装置１の画面１１０１の空き領域にウィンドウ表示されたものである。
【００８６】
以上説明した通り、第２の実施の形態によれば、表示装置１の表示画面上において、情報端末３０で指定した任意の出力データファイルを予め指定したウインドウ表示領域に表示する際に、同領域上に既に表示中のウィンドウがあった場合に、ウィンドウが重ならないように空き領域に表示することができる。これにより、複数のウィンドウを重ならずに表示することができるだけでなく、表示装置１の既存の表示状態に影響をおよぼすことなく新規出力データのウインドウ表示を行うことができる。
【００８７】
もちろん、ウィンドウ表示指示する際に、指定表示領域以外への表示を禁止するような設定とすることも可能である。
【００８８】
また、他の表示ウィンドウとの相対的な関係によって、表示設定を変更可能なように条件で設定できるようにしてもよい。例えば、表示サイズとの組合わせで、表示サイズを小さくしても他のウィンドウと重ならないで表示する、という条件で設定してもよいし、表示サイズは固定で他のウィンドウと重なってもよい、という条件で設定してもよい。
【００８９】
＜第３の実施形態＞
図５は、本実施の形態における情報処理装置２０の表示制御部２の動作について説明するまた別のフローチャートであり、表示属性情報として、情報端末毎に優先度設定がある場合について説明する。
【００９０】
情報端末３０からの出力要求を情報処理装置２０が受信すると、制御部４は、表示制御部２の表示制御手段を起動する。
【００９１】
同図において、ステップＳ５０１において、取得した表示属性情報と記憶部３の表示ウィンドウリスト７０１を参照し、指定表示領域が空き領域であるかどうかを判断する。指定表示領域が空き領域であった場合は、ステップＳ５０２に進み、表示ウィンドウリスト７０１に取得したファイルデータと表示属性情報を書き込む。
【００９２】
ステップＳ５０１において、指定表示領域が空き領域で無かった場合、すなわち既に他のウィンドウが表示されていた場合には、ステップＳ５０３に進み、情報端末３０の優先度が情報処理装置において既定されている表示許可閾値以上であるかを判断する。表示許可閾値以上であった場合には、ステップＳ５０４に進み、今度は情報端末３０の優先度と現在表示中のウィンドウのオーナーである他の情報端末の優先度を比較し、情報端末３０の優先度の方が上であった場合には、ステップＳ５０２において、表示ウィンドウリスト７０１に取得したファイルデータとその表示属性情報を追加して処理を終了する。
【００９３】
ステップＳ５０４において、情報端末３０の優先度の方が下であった場合には、ステップＳ５０５に進み、指定表示領域の座標データを空き領域の座標データに書き換える。次に、ステップＳ５０２において、表示ウィンドウリスト７０１に取得したファイルデータとその表示属性情報を追加して処理を終了する。この時、表示属性情報のうちウィンドウ表示領域の座標データは、ステップＳ５０３で書き換えられた座標になっている。
【００９４】
ステップＳ５０３において、情報端末３０の優先度が情報処理装置において既定されている表示許可閾値未満であった場合には、ステップＳ５０６に進み、情報端末３０に対して表示不許可通知を送信して処理を終了する。
【００９５】
それでは、図２と図５のフローチャートをもちいて、本実施の形態における処理の流れを具体的に説明する。
【００９６】
なお、図２のステップＳ２０３において表示制御手段を起動するまでの処理については、実施の形態１における説明と同じであるので省略する。
【００９７】
図５に示すように、制御部４によって表示制御手段が起動されると、表示制御部２で、新規に取得した表示属性情報と記憶部３の表示ウィンドウリスト７０１とを参照し、新規出力データを表示装置１にウィンドウ表示する指定表示領域が空き領域であるかどうかを判断する（Ｓ５０１）。
【００９８】
その結果、指定表示領域が空き領域であった場合には、記憶部３の表示ウィンドウリスト７０１に取得したウィンドウ表示対象のファイルデータとその表示属性情報が追加される（Ｓ５０２）。これにより、表示ウィンドウリスト７０１に変更ありと判断され（Ｓ２０４）、更新された表示ウィンドウリストに基づいて表示制御部２が表示装置１の表示画面を更新し（Ｓ２０５）、情報端末３０で指定された出力データが指定の表示領域にウィンドウ表示される。
【００９９】
一方、表示装置１の画面上の指定表示領域に他のウィンドウが表示されていた場合には（Ｓ５０１）、表示許可閾値と情報端末３０の表示属性情報に基づいて、情報端末３０の優先度が表示許可閾値以上であるかどうか判断する（Ｓ５０３）。
【０１００】
ここで、情報処理装置２０においては既定の表示許可閾値が記憶部３に格納されているものとする。その結果、表示許可閾値以上であった場合、情報端末３０の優先度と現在表示中のウィンドウのオーナーである他の情報端末の優先度を比較する（Ｓ５０４）。
【０１０１】
その結果、情報端末３０の優先度の方が上であった場合には、制御部１１が、記憶部３の表示ウィンドウリスト７０１に情報端末３０より取得されたファイルデータとその表示属性情報を追加する（Ｓ５０２）。これにより制御部４が、表示ウィンドウリスト７０１に変更ありと判断し（Ｓ２０４）、表示制御部２が表示更新（Ｓ２０５）した表示装置１の表示画面において、情報端末３０の指定表示領域に指定のデータファイルがウィンドウ表示される。
【０１０２】
一方、情報端末３０の優先度の方が下であった場合には（Ｓ５０４）、情報端末３０より取得した指定表示領域の座標データは、記憶部３の表示ウィンドウリスト７０１を参照して算出した空き領域の座標データへと書き換えられる（Ｓ５０５）。
【０１０３】
次に、記憶部３の表示ウィンドウリスト７０１に情報端末３０より取得されたファイルデータとその表示属性情報が追加される（Ｓ５０２）。この時、表示属性情報のうちウィンドウ表示領域の座標データはステップＳ５０５で書き換えられた座標になっている。これにより、表示ウィンドウリスト７０１に変更ありと判断され（Ｓ２０４）、表示制御部２が表示更新（Ｓ２０５）した表示装置１の表示画面において、情報端末３０の指定表示領域とは別の領域に指定のデータファイルがウィンドウ表示される。
【０１０４】
情報端末３０の優先度が表示許可閾値未満であると判断した場合（Ｓ５０３）には、情報端末３０より受信したウィンドウ表示指示は無効とされ、情報端末３０に対して制御部４で生成した表示不許可通知のメッセージが、ネットワークインタフェース部５からネットワーク６を介して送信される（Ｓ５０３）。
【０１０５】
なおここでは、表示制御手段が起動すると最初に指定表示領域が空き領域であるかどうかを判断し、次に端末の優先度を表示許可閾値以上であるかどうかを判断したが、先に優先度が表示許可閾値以上であるかどうかを照合したうえで、閾値未満である場合には仮に指定表示領域が空き領域であっても表示しないとしてもよい。
【０１０６】
これは例えば、表示許可の与えられた情報端末からのデータのみ表示するような仕組みにする場合に有効である。
【０１０７】
〔表示制御部によって制御された表示装置の画面の状態〕
説明が前後するが、以下に、図５のフローチャートで説明した第三の実施形態における表示制御手段による表示装置１の画面例について図１３を用いて説明する。
【０１０８】
図１３は、第三の実施形態において、表示装置１に複数の端末からの出力データをウィンドウ表示する際に、指定表示領域が重なった場合には情報端末の優先度に基づいて表示を変えることを示す概念図である。
【０１０９】
図１３においても図１２と同様に、情報端末Ａ及び情報端末Ｂからの出力データを表示装置１の画面１１０１にウィンドウ表示したものをそれぞれウィンドウＡ１１１３、ウィンドウＢ１１１５とする。ここでは、情報端末Ｂからの出力指示が先に行われているものとするが、図１２の説明と異なるのは、図７の表示ウィンドウリストに示すような表示属性情報である情報端末の優先度に基づいて、表示を変えている点である。
【０１１０】
出力データの表示属性情報として、情報端末Ａの優先度が情報端末Ｂより高い為に、先に出力指示されたデータＢ１１０５の指定表示領域と重なる場合であっても、データＡ１１０３は優先的に表示される。
【０１１１】
ウィンドウＡ１３０１は、その結果として、データＢ１１０５が表示装置１の画面１１０１にウィンドウ表示されたものであり、情報端末Ｂから出力されたデータＢ１１０５のウィンドウＢ１１１３の上に表示されている。
【０１１２】
さらに例えば、優先度情報と時間情報を組合わせて、時間によって情報端末の優先度を変えるようにしてもよい。これにより例えば、会議のタイムスケジュールや、プレゼンテーションの順番にあわせて、複数の情報端末から出力されるデータの表示装置１への表示の優先度を変えることができ、円滑な会議進行が行えるという効果がある。
【０１１３】
＜第４の実施形態＞
図６は、本実施の形態における情報処理装置２０の表示制御部２の動作について説明するまた別のフローチャートである。
【０１１４】
図６のフローチャートを用いて、表示属性情報として、情報端末毎に優先表示領域の設定がある場合について説明する。
【０１１５】
情報端末３０からの出力要求を情報処理装置２０が受信すると、制御部４は、表示制御部２の表示制御手段を起動する。
【０１１６】
同図において、ステップＳ６０１において、取得した表示属性情報と記憶部３の表示ウィンドウリスト７０１を参照し、指定表示領域が空き領域であるかどうかを判断する。指定表示領域が空き領域であった場合は、ステップＳ６０２に進み、表示ウィンドウリスト７０１に取得したファイルデータと表示属性情報を書き込む。
【０１１７】
ステップＳ６０１において、指定表示領域が空き領域で無かった場合、すなわち既に他のウィンドウが表示されていた場合には、ステップＳ６０３に進み、情報端末３０に優先表示領域の割り当てがあるかどうかを判断し、割り当てがある場合にはステップＳ６０４に進み、指定表示領域の座標データを優先表示領域内の空き領域の座標データに書き換える。次に、ステップＳ６０２において、表示ウィンドウリスト７０１に取得したファイルデータとその表示属性情報を追加して処理を終了する。この時、表示属性情報のうちウィンドウ表示領域の座標データは、ステップＳ６０４で書き換えられた座標になっている。
【０１１８】
ステップＳ６０３において、指定の情報端末３０に優先表示領域の割り当てが無かった場合には、ステップＳ６０６に進み、情報端末３０に対して表示不許可通知を送信して処理を終了する。
【０１１９】
それでは、図２と図６のフローチャートをもちいて、本実施の形態における処理の流れを具体的に説明する。
【０１２０】
なお、図２のステップＳ２０３において表示制御手段を起動するまでの処理については、実施の形態１における説明と同じであるので省略する。
【０１２１】
制御部４によって表示制御手段が起動されると、表示制御部２で、新規に取得した表示属性情報と記憶部３の表示ウィンドウリスト７０１を参照して、新規出力データを表示装置１にウィンドウ表示する指定表示領域が空き領域であるかどうかを判断する（Ｓ６０１）。
【０１２２】
その結果、指定表示領域が空き領域であった場合には、記憶部３の表示ウィンドウリスト７０１に取得したウィンドウ表示対象のファイルデータとその表示属性情報が追加される（Ｓ６０２）。これにより、表示ウィンドウリスト７０１に変更ありと判断され（Ｓ２０４）、更新された表示ウィンドウリストに基づいて表示制御部２が表示装置１の表示画面を更新し（Ｓ２０５）、情報端末３０で指定された出力データが指定の表示領域にウィンドウ表示される。
【０１２３】
ここで、情報処理装置２０においては単数または複数の情報端末に対して、図１０に示すような優先表示領域の割り当て設定が記憶部３に格納されているものとする。本実施例では、複数の情報端末３０を区別するために、以下指定の情報端末３０について情報端末Ａと呼ぶことにする。
【０１２４】
情報端末Ａから、表示装置１にウィンドウ表示するよう指定された新規出力データの指定表示領域に他のウィンドウが表示されていた場合に（Ｓ６０１）、図１０の優先表示領域テーブルを参照し、情報端末Ａに優先表示領域設定があるか判断する（Ｓ６０３）。
【０１２５】
その結果、優先表示領域設定がある場合には、優先表示領域情報を取得し、新規出力データの表示属性情報のうち指定表示領域情報を、優先表示領域内の空き領域の座標データへと書き換える（Ｓ６０４）。
【０１２６】
次に表示制御部２が、記憶部３の表示ウィンドウリスト７０１に、情報端末Ａより取得したファイルデータと、その表示属性情報を追加する（Ｓ６０２）。この時、表示属性情報のうちウィンドウ表示領域の座標データはステップＳ６０４で書き換えられた新しい指定表示領域の座標データになっている。
【０１２７】
これにより、表示ウィンドウリスト７０１に変更ありと判断され（Ｓ２０４）、更新された表示ウィンドウリストに基づいて表示制御部２が表示装置１の表示画面を更新し（Ｓ２０５）、情報端末Ａの指定表示領域とは別の領域である、割り当てられた優先表示領域内の空き領域に指定のデータファイルをウィンドウ表示される。
【０１２８】
なおここでは、指定の表示領域に他のウィンドウが表示されていた場合に変更する表示領域を、情報端末に割り当てられた優先表示領域内の空き領域としたが、空き領域がない場合には同優先表示領域内の他のウィンドウに重ねて表示してもよい設定を、操作者がウィンドウ表示指示する際に選択可能としてもよい。
【０１２９】
一方、情報端末３０に優先表示領域割り当てがなく（Ｓ６０１）、さらに、情報端末３０の優先度が表示許可閾値未満であった場合（Ｓ６０５）には、情報端末Ａより受信したウィンドウ表示指示は無効とされ、情報端末３０に対して制御部４で生成した表示不許可通知のメッセージが、ネットワークインタフェース部５からネットワーク６を介して送信される（Ｓ６０６）。
【０１３０】
なお上記実施の形態では、指定表示領域に空きがなくかつ優先表示領域の割り当てもない場合には、新規出力データの表示装置１へのウィンドウ表示指示を無効としたが、表示可能な空き領域がある場合には、指定表示領域を変更して表示するような設定とすることも可能である。
【０１３１】
〔表示制御部によって制御された表示装置の画面の状態〕
説明が前後するが、以下に、図６のフローチャートで説明した第四の実施形態における表示制御手段による表示装置１の画面例について図１４を用いて説明する。
【０１３２】
図１４は、第四の実施形態において、表示装置１に複数の端末からの出力データをウィンドウ表示する際に、情報端末毎に設定された優先表示領域に基づいて表示を行うことを示す概念図である。
【０１３３】
図１４においても図１２と同様に、情報端末Ａ及び情報端末Ｂからの出力データを表示装置１の画面１１０１にウィンドウ表示したものをそれぞれウィンドウＡ１１１３、ウィンドウＢ１１１５とする。ここでは、情報端末Ａからの出力指示が先に行われているものとするが、これまでの説明と異なるのは、図１０の優先表示領域テーブルに示すような表示属性情報に基づいて、表示を変えている点である。
【０１３４】
この時、データＡ１１０３とデータＢ１１０５の指定表示領域は重なっており、かつ、情報端末の優先度としても情報端末Ａの方が高いが、情報端末Ｂには優先表示領域の設定があるので、ウィンドウＢ１４０１のように、ウィンドウＡ１１１３の上に表示される。
【０１３５】
なおここでは図１０の前提として、表示装置１の画面について予め図９に示すような表示領域設定がなされているものとして説明したが、これに限定されるものではない。
【０１３６】
以上説明した通り、第４の実施の形態によれば、表示装置１へのウィンドウ表示に際し、予め情報端末毎に優先表示領域を設定することによって、複数の端末からの出力データが競合する場合でも、優先的に指定表示領域への出力データを表示できる。さらに、一度接続を解除した情報端末を再び接続した時にも、表示優先領域設定により、前回接続時と同じ指定領域に出力データをウィンドウ表示することができる。
【０１３７】
＜他の実施形態＞
なお、本発明は、複数の機器（例えばホストコンピュータ、インタフェイス機器、リーダ、プリンタなど）から構成されるシステムに適用しても、一つの機器からなる装置（例えば、複写機、ファクシミリ装置など）に適用してもよい。
【０１３８】
また、本発明の目的は、前述した実施形態の機能を実現するソフトウェアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、達成されることは言うまでもない。
【０１３９】
この場合、記憶媒体から読出されたプログラムコード自体が前述した実施形態の機能を実現することになり、そのプログラムコードを記憶した記憶媒体は本発明を構成することになる。
【０１４０】
プログラムコードを供給するための記憶媒体としては、例えば、フロッピ（登録商標）ディスク、ハードディスク、光ディスク、光磁気ディスク、ＣＤ−ＲＯＭ、ＣＤ−Ｒ、磁気テープ、不揮発性のメモリカード、ＲＯＭなどを用いることができる。
【０１４１】
また、コンピュータが読出したプログラムコードを実行することにより、前述した実施形態の機能が実現されるだけでなく、そのプログラムコードの指示に基づき、コンピュータ上で稼働しているＯＳ（オペレーティングシステム）などが実際の処理の一部または全部を行い、その処理によって前述した実施形態の機能が実現される場合も含まれることは言うまでもない。
【０１４２】
さらに、記憶媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部または全部を行い、その処理によって前述した実施形態の機能が実現される場合も含まれることは言うまでもない。
【図面の簡単な説明】
【０１４３】
【図１】本発明の各実施形態に共通する情報処理装置を含む電子会議システムの全体構成を示すブロック図である。
【図２】本発明の各実施形態に共通する情報処理装置におけるウインドウ表示処理の手順を示したフローチャートである。
【図３】第１の実施形態における表示制御手段の処理手順を説明するフローチャートである。
【図４】第２の実施形態における表示制御手段の処理手順を説明するフローチャートである。
【図５】第３の実施形態における表示制御手段の処理手順を説明するフローチャートである。
【図６】第４の実施形態における表示制御手段の処理手順を説明するフローチャートである。
【図７】本発明の各実施形態に共通する情報処理装置における情報処理装置における表示ウィンドウリストの例を示す図である。
【図８】本発明の各実施形態に共通する情報端末において、出力データの表示設定を行う操作例を示す図である。
【図９】本発明の各実施形態に共通する情報処理装置における表示領域設定例及び情報端末に割り当てられる優先表示領域の設定例を示す図である。
【図１０】本発明の各実施形態に共通する情報処理装置に置いて参照される優先表示領域テーブルの例を示す図である。
【図１１】ａは、第１の実施形態における表示装置の表示画面例を示す概念図、ｂは、第１の実施形態における表示装置の表示画面例を示すまた別の概念図である。
【図１２】第２の実施形態における表示装置の表示画面例を示すまた別の概念図である。
【図１３】第３の実施形態における表示装置の表示画面例を示すまた別の概念図である。
【図１４】第４の実施形態における表示装置の表示画面例を示すまた別の概念図である。
【符号の説明】
【０１４４】
１  共有表示装置
２  表示制御部
３  記憶部
４  制御部
５  ネットワークインタフェース部
６  ネットワーク
７  ネットワークインタフェース部
８  指示部
９  二次記憶装置
１０  ＲＡＭ
１１  制御部
１２  表示部
２０  情報処理装置
３０  情報端末
【図１】
2006215531.tif 000003
【図２】
2006215531.tif 000004
【図３】
2006215531.tif 000005
【図４】
2006215531.tif 000006
【図５】
2006215531.tif 000007
【図６】
2006215531.tif 000008
【図７】
2006215531.tif 000009
【図８】
2006215531.tif 000010
【図９】
2006215531.tif 000011
【図１０】
2006215531.tif 000012
【図１１】
2006215531.tif 000013
【図１２】
2006215531.tif 000014
【図１３】
2006215531.tif 000015
【図１４】
2006215531.tif 000016